(57)【特許請求の範囲】
【請求項１】
メラトニン分泌を抑制する波長の光を殆ど含まない第１発光部と、前記波長の光を含む第２発光部と、該第１発光部及び第２発光部の点灯を制御する制御手段とを備え、
前記第１発光部から出射される光は、光軸となす角度が６０°以下になる範囲に含まれており、
前記第２発光部は、前記第１発光部に対して相対的に指向性が弱く、
前記制御手段は、時計部を有しており、該時計部の時間に応じて前記第１発光部及び第２発光部の発光強度を制御して、使用者の目に入る所定方向に出射されるメラトニン分泌を抑制する波長の光の量を調整することにより、使用者のメラトニン分泌抑制の影響度を変化させるとともに、時間の如何にかかわらず、前記第１発光部及び第２発光部からの光が照射される照射面での照度を略一定に保つように構成してあることを特徴とする照明装置。
【請求項２】
前記第１発光部は、光源及び該光源から出射される所定方向の光を遮蔽する遮蔽体を有してなることを特徴とする請求項１に記載の照明装置。
【請求項３】
天井に設置することができ、前記第１発光部及び第２発光部から略水平方向に出射される光の量を変化させるように構成してあることを特徴とする請求項１または２に記載の照明装置。
【請求項４】
前記第１発光部及び／又は第２発光部は、発光色が異なる複数の光源を備えてなり、前記制御手段は、該複数の光源の発光強度を夫々制御することにより前記複数の光源からの光が照射される照射面での色温度を変化させるように構成してあることを特徴とする請求項１から３の何れか一つに記載の照明装置。
【請求項５】
前記第１発光部及び／又は第２発光部は、赤色光源、緑色光源及びピーク波長が異なる複数の青色光源からなる複数の光源を備えてなり、前記制御手段は、前記複数の青色光源を切換え点灯させるように構成してあることを特徴とする請求項１から４の何れか一つに記載の照明装置。
【請求項６】
照度を検出する照度センサを備えており、前記制御手段は、該照度センサにより検出された照度に応じて前記第１発光部及び／又は第２発光部の発光強度を制御するように構成してあることを特徴とする請求項１から５の何れか一つに記載の照明装置。
【発明の詳細な説明】
【技術分野】
【０００１】
本発明は、発光部から所定方向に出射されるメラトニン分泌を抑制する波長の光の量を調整することを特徴とする照明装置に関する。
【背景技術】
【０００２】
近年、照明装置として、白熱電球、低圧放電蛍光ランプ、蛍光灯、発光ダイオード（以下、ＬＥＤという）等の種々の光源を有する発光部を備える照明装置が用いられている。
【０００３】
夜、特に就寝前において、住宅の室内を電球色のような低い色温度の光を発する光源を用いて照明することにより、昼白色、昼光色等の高い色温度の光を発する光源を用いて照明する場合と比較して、円滑な入眠を促すことができることが知られている。これは、体温の低下及び入眠を促すと考えられている脳内分泌ホルモンであるメラトニンの分泌が、人の目に入る光の色温度に、換言すると光の波長に影響を受けるためである。光の波長のメラトニン分泌抑制への影響については、ブレナード氏らによる研究により、図２７に示すような結果が得られており、この結果により４６４ｎｍ近傍のスカイブルーの波長がメラトニン分泌抑制に対して支配的であることがわかる。
【０００４】
メラトニン分泌抑制への単位輝度当たりの影響度の比較を図２８に示す。図２８の横軸は色温度（Ｋ）を、縦軸はメラトニン分泌抑制への単位輝度当たりの影響度をそれぞれ示している。図中に、標準光源に対するメラトニン分泌抑制への影響度を破線にて示しており、電球２８００Ｋ（黒体放射）に対する影響度を黒丸により、５０００Ｋ（黒体放射）及び６５００Ｋ（Ｄ６５標準光源）の色温度の標準光源に対する影響度を黒四角により夫々示している。また、同図中に、３０００Ｋ、５０００Ｋ及び６５００Ｋの色温度の蛍光灯に対するメラトニン分泌抑制への影響度を黒ひし形により夫々示している。なお、縦軸は、６５００Ｋ（Ｄ６５標準光源）のときのメラトニン抑制光強度（メラトニン分泌抑制への影響度）を１とした相対値にて示しており、値が大きいほどメラトニンの分泌抑制への影響度が高くなる。色温度の異なる複数の光源を備える照明装置において、点灯する光源を昼光色から電球色に変更した場合、メラトニン分泌抑制への影響度は約１／３近くに低減されることがわかる。
【０００５】
ところで、一般に、夜は、円滑な入眠を促すべく、人の目に入る光に４６４ｎｍ近傍の波長が含まれないように照明装置を構成する一方、朝は、円滑な目覚めを促すべく、人の目に入る光に４６４ｎｍ近傍の波長が含まれるように照明装置を構成することが望ましい。
【０００６】
このような照明装置として、前述の如く、昼光色及び電球色の色温度の異なる複数の光源を切換えることにより、即ち夜は電球色の光源を、朝は昼光色の光源を切替え点灯させることにより、メラトニン分泌抑制への影響度を変化させるように構成された照明装置が考えられる。しかしながら、この照明装置においては、使用者の好みに応じて色温度を変更することができないという問題がある。
【０００７】
特許文献１に開示された照明装置は、視対象物を置く領域のみに光を照射する狭角光源と、前記領域を含む広範囲の領域を照明する周辺照明用光源とを備え、通常時は、周辺照明用光源を点灯させ、読書時は、狭角光源を点灯させるように構成してある。
【特許文献１】特開平１１−２７３４２０号公報
【発明の開示】
【発明が解決しようとする課題】
【０００８】
ところが、特許文献１に開示された照明装置において、狭角光源を点灯した場合、光源直下の狭い領域は明るく照明されるが、周辺領域は薄暗い状態であるから、人の目に入る光の量を抑制することが可能である一方、部屋全体の照度は不十分である。周辺照明用光源を点灯した場合、部屋全体を明るく照明することができるが、多方向に光が出射されるから、人の目に入る光の量を抑制することができない。このように、特許文献１に開示された照明装置においては、時間又は使用者の生活態様に応じた多様な照明を適切に行うことができないという問題があった。
【０００９】
本発明は斯かる事情に鑑みてなされたものであり、発光部から人の目に入る方向に出射されるメラトニン分泌を抑制する波長の光の量を調整して、メラトニン分泌抑制への影響度を変化させることができ、時間又は使用者の生活態様に応じた適切な照明をすることができる照明装置を提供することを目的とする。
【課題を解決するための手段】
【００１０】
本発明に係る照明装置は、メラトニン分泌を抑制する波長の光を殆ど含まない第１発光部と、前記波長の光を含む第２発光部と、該第１発光部及び第２発光部の点灯を制御する制御手段とを備え、前記第１発光部から出射される光は、光軸となす角度が６０°以下になる範囲に含まれており、前記第２発光部は、前記第１発光部に対して相対的に指向性が弱く、前記制御手段は、時計部を有しており、該時計部の時間に応じて前記第１発光部及び第２発光部の発光強度を制御して、使用者の目に入る所定方向に出射されるメラトニン分泌を抑制する波長の光の量を調整することにより、使用者のメラトニン分泌抑制の影響度を変化させるとともに、時間の如何にかかわらず、前記第１発光部及び第２発光部からの光が照射される照射面での照度を略一定に保つように構成してあることを特徴とする。
【００１１】
本発明にあっては、光軸となす角度が６０°以下になる範囲に含まれる光を出射し、メラトニン分泌を抑制する波長の光を殆ど含まない第１発光部、及び、該第１発光部に対して相対的に指向性が弱く、メラトニン分泌を抑制する波長の光を含む第２発光部夫々の発光強度を時間に応じて制御し、通常の使用態様時に使用者の目に入る方向（所定方向）に出射されるメラトニン分泌を抑制する波長の光の量を変化させ、使用者の目に入る該波長の光の量を調整することにより、使用者が設定することなく自動的に使用者のメラトニン分泌抑制への影響度を変化させることができると共に、時間の如何にかかわらず、第１発光部及び第２発光部からの光が照射される照射面での照度を略一定に保つことにより、常に十分な明るさを得ることができ、時間又は使用者の生活態様に応じた適切な照明をすることができる。
【００１４】
本発明に係る照明装置は、前記第１発光部は、光源及び該光源から出射される所定方向の光を遮蔽する遮蔽体を有してなることを特徴とする。
【００１５】
本発明にあっては、前記第１発光部は、光源及び該光源から出射される所定方向の光を遮蔽する遮蔽体を有してなる。遮蔽体を適切に形成することにより、該第１発光部から通常の使用態様時に使用者の目に入る方向（所定方向）に出射される光を遮蔽しつつ、第１発光部及び第２発光部からの光が照射される照射面、例えば床面において十分な照度を得ることができる。これら第１及び第２発光部の点灯制御を適切に行い、通常の使用態様時に使用者の目に入る方向に出射される光の量を変化させることにより、使用者の目に入るメラトニン分泌を抑制する波長の光の量を調整してメラトニン分泌抑制への影響度を変化させることができると共に、時間又は使用者の生活態様に応じた適切な照明をすることができる。
【００２０】
本発明に係る照明装置は、天井に設置することができ、前記第１発光部及び第２発光部から略水平方向に出射される光の量を変化させるように構成してあることを特徴とする。
【００２１】
本発明にあっては、天井に設置される照明装置において、第１発光部及び第２発光部から略水平方向に出射される光の量を変化させるように照明装置を構成しているから、通常の使用態様時に使用者の目に入る方向に出射される光の量を変化させることができ、第１発光部及び第２発光部から使用者の目に入るメラトニン分泌を抑制する波長の光の量を調整してメラトニン分泌抑制への影響度を変化させることができる。
【００２４】
本発明に係る照明装置は、前記第１発光部及び／又は第２発光部は、発光色が異なる複数の光源を備えてなり、前記制御手段は、該複数の光源の発光強度を夫々制御することにより前記複数の光源からの光が照射される照射面での色温度を変化させるように構成してあることを特徴とする。
【００２５】
本発明にあっては、発光色が異なる複数の光源を第１発光部及び／又は第２発光部に用いて、該複数の光源の発光強度を夫々制御して、照射面での色温度を変化させている。光源を適切に選定し、発光強度を適切に設定することにより、メラトニン分泌抑制への影響度を更に変化させることができると共に、時間又は使用者の生活態様に応じた、より適切な照明をすることができる。
【００２６】
本発明に係る照明装置は、前記第１発光部及び／又は第２発光部は、赤色光源、緑色光源及びピーク波長が異なる複数の青色光源からなる複数の光源を備えてなり、前記制御手段は、前記複数の青色光源を切換え点灯させるように構成してあることを特徴とする。
【００２７】
本発明にあっては、赤色光源、緑色光源及びピーク波長が異なる複数の青色光源の複数の光源を第１発光部及び／又は第２発光部に用い、前記複数の青色光源を切換え点灯させている。適切に複数の青色光源を選定することにより、例えば、ピーク波長が４６４ｎｍ近傍の波長領域にある光を発する青色光源とピーク波長が４６４ｎｍ近傍の波長領域にない光を発する青色光源とを用いることにより、メラトニン分泌抑制への影響度を更に変化させることができると共に、時間又は使用者の生活態様に応じた、より適切な照明をすることができる。
【００３０】
本発明に係る照明装置は、照度を検出する照度センサを備えており、前記制御手段は、該照度センサにより検出された照度に応じて前記第１発光部及び／又は第２発光部の発光強度を制御するように構成してあることを特徴とする。
【００３１】
本発明にあっては、照度センサにより検出された照度に応じて第１発光部及び／又は第２発光部の発光強度を制御しているから、適切な照明をすることができると共に、省エネルギーに資する。
【発明の効果】
【００３２】
本発明によれば、発光部から人の目に入る方向に出射されるメラトニン分泌を抑制する波長の光の量を調整して、メラトニン分泌抑制への影響度を変化させることができ、時間又は使用者の生活態様に応じた適切な照明をすることができる。
【発明を実施するための最良の形態】
【００３３】
以下、本発明をその実施の形態を示す図面に基づいて詳述する。
（実施の形態１）
図１は、本発明の実施の形態１に係る照明装置１０の模式的平面図であり、図２は、図１のII−II線による模式的断面図である。なお、図１は、一部を図２の I−I 線による部分断面にて示している。
【００３４】
図において１は、樹脂製または金属製のカバーであり、カバー１は、矩形状の板部１ａと、該板部１ａの周縁部から略直交して一方向に延びる矩形状の４側壁１ｂ，１ｂ…とを備えている。板部１ａには、対向する２辺に沿って、２つの矩形窓１ｃ，１ｃが形成してある。また、板部１ａには、２つの矩形窓１ｃ，１ｃの間に、該矩形窓１ｃ，１ｃに沿って、複数（図において４つ）の円形窓１ｄ，１ｄ…が等配をなして形成してある。このカバー１には、金属製のフレーム２が外嵌してあり、カバー１及びフレーム２により照明装置１０の筐体を構成している。
【００３５】
フレーム２は、矩形状の底板部２ａと、該底板部２ａの端縁から略直交して一方向に延びる矩形状の４側壁２ｂ，２ｂ…と、該４側壁２ｂ，２ｂ…の端縁から前記底板部２ａに平行をなして、外向きに延びる周縁部２ｃとを備えている。対向をなす２側壁２ｂ，２ｂの開口側には、底板部２ａと平行をなす細長い矩形板状の取付部２ｄ，２ｄが側壁２ｂ，２ｂの略全長に亘って形成してある。
【００３６】
このフレーム２には、指向性が強い光を出射する複数（図において４つ）の第１発光部３，３…が、フレーム２の対向する２側壁２ｂ，２ｂに平行をなして、カバー１とフレーム２とを一体化したときに、カバー１に設けられた円形窓１ｄ，１ｄ…と同位置になるように、支持体３５を介して取付けてある。第１発光部３は、周方向に等配をなして設けられた複数（図において８つ）のＬＥＤモジュール３１，３１…と、該複数のＬＥＤモジュール３１，３１…から出射される光の一部を遮蔽する遮蔽体３２とを備えてなる。
【００３７】
ＬＥＤモジュール３１は、矩形のセラミック基板と、該セラミック基板の一面の中央部に密集して実装された複数（例えば、３６個）のＬＥＤ素子と、該複数のＬＥＤ素子を封止し、蛍光体が分散された封止樹脂と、入力及び出力端子とを備えてなり、発光色が電球色になるように構成してある。遮蔽体３２は、内径が連続的に縮径された円筒形状を有しており、縮径された側がＬＥＤモジュール３１，３１…の側になり、ＬＥＤモジュール３１，３１…を囲繞するように設けてある。
【００３８】
図３は、第１発光部３の各方向に対する光度の分布（配光）を示す鉛直配光曲線図であり、周方向は、第１発光部３の光中心を通る鉛直線（光軸）となす角度を、径方向は最大値を１００％として相対表示した光度を夫々示している。以上のように構成された第１発光部３，３…から出射される光は、図に示す如く、光軸となす角度が６０°以下の範囲に全て含まれる。
【００３９】
また、フレーム２には、複数（図において２つ）の指向性が弱い光を出射する第２発光部４，４が、カバー１とフレーム２とを一体化したときに、カバー１に設けられた矩形窓１ｃ，１ｃと同位置になるように、対向をなす２側壁２ｂ，２ｂに沿って、取付部２ｄ，２ｄに取付けることにより固定してある。第２発光部４は、矩形をなす平板部４１ａ及び該平板部４１ａの長辺側の一端縁から直交する方向に延びる矩形をなす側壁４１ｂを有する支持板４１と、該支持板４１に取付けられた複数（図において２つ）のＬＥＤモジュール４２，４２とを備えてなる。
【００４０】
ＬＥＤモジュール４２は、エポキシ樹脂製の矩形平板状のＬＥＤ基板４３と、該ＬＥＤ基板４３に実装された複数のＬＥＤ４４，４４…とを有してなり、長手方向が支持板４１の側壁４１ｂと平行をなすように該平板部４１ａに略全面に亘って当接させて固定してある。ＬＥＤ４４，４４…として、昼白色（５０００Ｋの色温度）及び高演色性の光を発するＬＥＤを用いている。演色性は、色の見え方に及ぼす光源の性質であり、演色性が良い（高演色性）ほど、物の色が自然な感じに見えることになる。
【００４１】
図４は、第２発光部４のＬＥＤモジュール４２の鉛直配光曲線図であり、周方向は、ＬＥＤモジュール４２の光軸となす角度を、径方向は最大値を１００％として相対表示した光度を夫々示している。以上のように構成されたＬＥＤモジュール４２，４２…から出射される光は、図に示す如く、一般的なＬＥＤの配光特性であるランバート分布となる。
【００４２】
カバー１に設けられた矩形窓１ｃ，１ｃには、該矩形窓１ｃ，１ｃより若干大きい矩形状を有する拡散板５，５が取付けてある。拡散板５，５は、拡散剤が添加された乳白色の樹脂製であり、例えば、ポリカーボネート樹脂製である。
【００４３】
以上のように構成された照明装置１０は、拡散板５，５の側が下側になるように天井１００に取付けられる。なお、照明装置１０の内部には、トランス、抵抗、コンデンサ等の各種回路部品を備えてなる電源制御回路部６が設けてあり、電源制御回路部６には、外部電源が接続してある。また電源制御回路部６は、各別のリード線により第１発光部３，３…及び第２発光部４，４に夫々接続してある。
【００４４】
これら第１発光部３，３…及び第２発光部４，４は、電源制御回路部６に設けられた制御部６１により点灯制御がなされる。図５は、実施の形態１に係る照明装置１０の制御系の構成を示すブロック図である。
【００４５】
制御部６１には、同じく電源制御回路部６に設けられた電源部６２が接続してあり、電源部６２は外部電源から供給された交流電流を直流電流に整流し、直流電流を制御部６１及び部分電源回路部６３，６４に夫々供給する。
【００４６】
制御部６１は、赤外線リモコン７からの赤外線信号を受信する受光部６１ａ、第１発光部３，３…及び第２発光部４，４を点灯制御すべく、処理を行う処理部６１ｂ、時間を計時する時計部６１ｃ及び制御プログラムが記憶されている記憶部６１ｄを備えている。
【００４７】
赤外線リモコン７は、使用者が持ち運び可能な程度の大きさの略矩形の板状をなす筐体を有しており、筐体の一面には、照明装置を点灯／消灯する操作を受け付ける電源スイッチが設けてあり、筐体の一端には、電源スイッチの操作に応じた点灯信号／消灯信号の赤外線信号の送信を行う送信部７１が設けてある。受光部６１ａは、赤外線を検出する受光素子を備えた赤外線センサであり、赤外線リモコン７の送信部７１から送信された赤外線信号を受信する。
【００４８】
制御部６１は、赤外線リモコン７から点灯信号の赤外線信号を受光部６１ａにて受信したとき、時計部６１ｃから時間を、記憶部６１ｄから該記憶部６１ｄに保存されている制御プログラムを夫々処理部６１ｂに読込み、制御プログラムに応じた制御指令を処理部６１ｂにより発することにより、第１発光部３，３…及び第２発光部４，４夫々を点灯／消灯させるように構成してある。
【００４９】
また制御部６１には、照明装置１０の内部に設けられた照度センサ８により検出された照度が与えられる。制御部６１は、与えられた照度に応じて第１発光部３，３…及び第２発光部４，４を点灯／消灯させるように構成してある。なお、制御部６１は、与えられた照度に応じて第１発光部３，３…及び第２発光部４，４の発光強度を調節するように構成してもよい。
【００５０】
また制御部６１には、部分電源回路部６３，６４が夫々接続してあり、制御部６１は、第１発光部３，３…及び第２発光部４，４夫々の点灯及び消灯の切替え並びに点灯時の発光強度を調節すべく決定されたパルス信号を処理部６１ｂにて生成し、生成したパルス信号を部分電源回路部６３，６４に夫々与える。部分電源回路部６３，６４は、スイッチング素子を備えており、制御部６１から与えられたパルス信号に応じてスイッチング素子を開閉する動作をなす。この結果、第１発光部３，３…及び第２発光部４，４には、スイッチング素子の開閉動作に応じたパルス状の電流が供給され、第１発光部３，３…及び第２発光部４，４は、電流の供給に応じて点灯する。
【００５１】
なお、本実施の形態においては、部分電源回路部６３，６４の動作及び複数の発光部（第１発光部３，３…及び第２発光部４，４）の点灯を、１つの制御部６１により制御するように構成してあるが、複数の発光部毎に制御部を備え、各制御部により制御するように構成しても良い。
【００５２】
図６は、照明装置１０の点灯制御の処理手順を示すフローチャートの一例である。制御部６１は、電源が投入された後、点灯指令中であるか否かを処理部６１ｂにて判定する（ステップＳ１）。点灯指令中であるか否かは、電源が投入された状態において、受光部６１ａが受信した赤外線リモコン７からの直近の赤外線信号が点灯信号であるか消灯信号であるかにより判定される。
【００５３】
ステップＳ１において、点灯指令中であると判定された場合（ステップＳ１：ＹＥＳ）、即ち受光部６１ａが受信した赤外線リモコン７からの直近の赤外線信号が点灯信号である場合、時計部６１ｃから時間を処理部６１ｂに読込む（ステップＳ２）。
【００５４】
一方、ステップＳ１において、点灯指令中でないと判定された場合（ステップＳ１：ＮＯ）、即ち受光部６１ａが受信した赤外線リモコン７からの直近の赤外線信号が消灯信号である場合、第１発光部３，３…及び第２発光部４，４の消灯を持続した状態にて照明装置１０の点灯制御の動作を終了する（ステップＳ３）。
【００５５】
次に、制御部６１は、記憶部６１ｄに記憶されている制御プログラムを処理部６１ｂに読込む（ステップＳ４）。図７は、制御プログラムにより設定されている第１発光部３，３…及び第２発光部４，４の点灯及び発光強度の制御過程を示すタイミングチャートである。図７（ａ）は、第１発光部３，３…のタイミングチャートを、図７（ｂ）は、第２発光部４，４のタイミングチャートを夫々示している。
【００５６】
図７の横軸は時間を示しており、縦軸は、最大値を１００％として相対表示した第１発光部３，３…及び第２発光部４，４の発光強度を夫々示している。就寝前時間帯として設定されている２０時〜４時の時間帯は、第１発光部３，３…を点灯させ、第２発光部４，４を消灯させる一方、通常時間帯として設定されている４時〜２０時の時間帯は、第１発光部３，３…を消灯させ、第２発光部４，４を点灯させるように構成してある。
【００５７】
次に、制御部６１は、ステップＳ２において読込まれた時間及びステップＳ４において読込まれた制御プログラムを用いて、就寝前時間帯か否かを判定する（ステップＳ５）。
【００５８】
ステップＳ５において、就寝前時間帯であると判定された場合（ステップＳ５：ＹＥＳ）、第１発光部３，３…を点灯させ、第２発光部４，４を消灯させて（ステップＳ６）、照明装置１０の点灯制御の動作を終了する。
【００５９】
一方、ステップＳ５において、就寝前時間帯でないと判定された場合（ステップＳ５：ＮＯ）、第１発光部３，３…を消灯させ、第２発光部４，４を点灯させて（ステップＳ７）、照明装置１０の点灯制御の動作を終了する。
【００６０】
以上のように構成された本実施の形態に係る照明装置１０において、第１発光部３，３…から出射される光は、ＬＥＤモジュール３１，３１…の出射面の側に設けられた遮蔽体３２により、光軸となす角度が６０°以下になる範囲に全て含まれる指向性が強い光となる一方、第２発光部４，４から出射される光は、拡散板５，５により拡散され、室内全体を照らす均一な光となる。第１発光部３，３…から出射される光は、限定されているとはいえ、ある程度の広がりを有しているから、第１発光部３，３…からの光が照射される照射面、例えば床面において十分な照度を得ることができる。就寝前時間帯においては、第１発光部３，３…を点灯させ、第２発光部４，４を消灯させているから、室内を十分な明るさにて照明しつつ、通常の使用態様時に人の目に入る方向（略水平方向）に出射される光の量は低く抑えられる一方、通常時間帯においては、第１発光部３，３…を消灯させ、第２発光部４，４を点灯させているから、室内を十分な明るさにて照明しつつ、通常の使用態様時に人の目に入る方向（略水平方向）に出射される光が含まれることになる。
【００６１】
この結果、就寝前時間帯においては、人の目に入るメラトニン分泌を抑制する波長の光の量を低く抑えることができ、メラトニン分泌を殆ど抑制しないようにして円滑な入眠を促すことができる一方、朝は、メラトニン分泌を抑制して円滑な目覚めを促すことができ、時間に応じた適切な照明をすることができる。また、第１発光部３，３…を電球色の光を発するように、第２発光部４，４を昼白色の光を発するように夫々構成しており、通常時間帯においては色温度の低い、換言するとメラトニン分泌抑制に対して支配的である４６４ｎｍ近傍の波長を殆ど含まない電球色の光にて照明し、就寝前時間帯においては色温度の高い、換言すると４６４ｎｍ近傍の波長を多く含む昼白色の光にて照明しているから、人の目に入るメラトニン分泌を抑制する波長の光の量を変化させることができ、メラトニン分泌抑制への影響度を更に変化させることができる。
【００６２】
なお、上記実施の形態１において、第１発光部３，３…を指向性の強い発光部（光源）、第２発光部４，４を指向性の弱い発光部（光源）としてあるが、これら複数の発光部は指向性の異なる複数の発光部であればよい。相対的に指向性の強い光源を第１発光部、相対的に指向性の弱い光源を第２発光部とすれば、指向性の強弱の程度が異なっても、上記効果を為すことが可能である。以下の実施の形態の説明においても同様である。
【００６３】
また、図３及び図４に示した第１発光部３，３…及び第２発光部４，４の鉛直配光曲線図は例示であって、配光特性はこれに限定されない。つまり、第１発光部の配光特性が、第２発光部の配光特性に比べて、発光部直下（光軸となす角度０°）から水平方向（光軸となす角度９０°）に向けて照度がより急激に減少するような配光特性であればよい。
【００６４】
また、時間に応じて第１発光部３，３…及び第２発光部４，４の発光強度を制御するように構成してあるから、使用者が設定することなく自動的にメラトニン分泌抑制への影響度を変化させることができ、時間に応じた適切な照明をすることができる。さらに、第１発光部３，３…及び第２発光部４，４のうちどちらか一方を点灯するというシンプルな制御であるから、回路構成を簡単にすることができる。
【００６５】
（実施の形態２）
図８は、照明装置１０の点灯制御の処理手順を示すフローチャートの他の例である。その他の構成は、実施の形態１において述べた構成と同じであるので図面及び説明を省略する。
【００６６】
制御部６１は、電源が投入された後、点灯指令中であるか否かを処理部６１ｂにて判定する（ステップＳ１１）。
【００６７】
ステップＳ１１において、点灯指令中であると判定された場合（ステップＳ１１：ＹＥＳ）、時計部６１ｃから時間を処理部６１ｂに読込む（ステップＳ１２）。
【００６８】
一方、ステップＳ１１において、点灯指令中でないと判定された場合（ステップＳ１１：ＮＯ）、第１発光部３，３…及び第２発光部４，４の消灯を持続した状態にて照明装置１０の点灯制御の動作を終了する（ステップＳ１３）。
【００６９】
次に、制御部６１は、ステップＳ１２において読込まれた時間に対応する第１発光部３，３…及び第２発光部４，４の設定値を記憶部６１ｄから処理部６１ｂに読込む（ステップＳ１４）。図９は、記憶部６１ｄに記憶されている第１発光部３，３…及び第２発光部４，４の点灯及び発光強度の制御過程を示すタイミングチャートである。図９（ａ）は、第１発光部３，３…のタイミングチャートを、図９（ｂ）は、第２発光部４，４のタイミングチャートを夫々示している。図９の横軸は時間を示しており、縦軸は、最大値を１００％として相対表示した第１発光部３，３…及び第２発光部４，４の発光強度を夫々示している。なお、第１発光部３，３…及び第２発光部４，４は、該第１発光部３，３…及び第２発光部４，４からの光が照射される照射面、例えば照明装置直下の床面での照度が、時間の如何に係らず一定になるように構成してある。
【００７０】
次に、制御部６１は、ステップＳ１４において読込まれた設定値になるように、第１発光部３，３…及び第２発光部４，４夫々を設定出力にて点灯して（ステップＳ１５）、照明装置１０の点灯制御の動作を終了する。
【００７１】
以上のように第１発光部３，３…及び第２発光部４，４を点灯制御することにより、就寝前時間帯においては、メラトニン分泌を殆ど抑制しないようにして円滑な入眠を促すことができる一方、朝は、メラトニン分泌を抑制して円滑な目覚めを促すことができ、時間に応じた適切な照明をすることができる。また、１６〜２２時の時間帯において、段階的に第１発光部３，３…及び第２発光部４，４の発光強度を変化させているから、使用者に違和感を与えずにすむ。さらに、時間の如何に係らず、第１発光部３，３…及び第２発光部４，４からの光が照射される照射面、例えば照明装置直下の床面での照度が一定になるように照明装置を構成しているから、常に十分な明るさを得ることができる。
【００７２】
（実施の形態３）
図１０は、照明装置１０の点灯制御の処理手順を示すフローチャートの他の例である。その他の構成は、実施の形態１において述べた構成と同じであるので図面及び説明を省略する。
【００７３】
制御部６１は、電源が投入された後、点灯指令中であるか否かを処理部６１ｂにて判定する（ステップＳ２１）。
【００７４】
ステップＳ２１において、点灯指令中であると判定された場合（ステップＳ２１：ＹＥＳ）、時計部６１ｃから時間を処理部６１ｂに読込む（ステップＳ２２）。
【００７５】
一方、ステップＳ２１において、点灯指令中でないと判定された場合（ステップＳ２１：ＮＯ）、第１発光部３，３…及び第２発光部４，４の消灯を持続した状態にて照明装置１０の点灯制御の動作を終了する（ステップＳ２３）。
【００７６】
次に、制御部６１は、ステップＳ２２において読込まれた時間に対応する第１発光部３，３…及び第２発光部４，４の設定値を記憶部６１ｄから処理部６１ｂに読込む（ステップＳ２４）。図１１は、記憶部６１ｄに記憶されている第１発光部３，３…及び第２発光部４，４の点灯及び発光強度の制御過程を示すタイミングチャートである。図１１（ａ）は、第１発光部３，３…のタイミングチャートを、図１１（ｂ）は、第２発光部４，４のタイミングチャートを夫々示している。図１１の横軸は時間を示しており、縦軸は、最大値を１００％として相対表示した第１発光部３，３…及び第２発光部４，４の発光強度を夫々示している。なお、第１発光部３，３…及び第２発光部４，４は、該第１発光部３，３…及び第２発光部４，４からの光が照射される照射面、例えば照明装置直下の床面での照度が、時間に応じて変化するように構成してある。
【００７７】
次に、制御部６１は、照度センサ８により検出された照度を読込み（ステップＳ２５）、読込まれた照度が所定値Ｌs 以上であるか否かを判定する（ステップＳ２６）。なお、所定値Ｌs は、ステップＳ２４において読込まれた設定値にて第１発光部３，３…及び第２発光部４，４が点灯された時の照度に基づいて設定してある。
【００７８】
ステップＳ２６において、照度が所定値Ｌs 以上であると判定された場合（ステップＳ２６：ＹＥＳ）、第１発光部３，３…及び第２発光部４，４の消灯を持続した状態にて照明装置１０の点灯制御の動作を終了する（ステップＳ２３）。
【００７９】
一方、ステップＳ２６において、照度が所定値Ｌs 未満であると判定された場合（ステップＳ２６：ＮＯ）、ステップＳ２４において読込まれた設定値になるように、第１発光部３，３…及び第２発光部４，４夫々を設定出力にて点灯して（ステップＳ２７）、照明装置１０の点灯制御の動作を終了する。
【００８０】
以上のように第１発光部３，３…及び第２発光部４，４を点灯制御することにより、就寝前時間帯においては、メラトニン分泌を殆ど抑制しないようにして円滑な入眠を促すことができる一方、朝は、メラトニン分泌を抑制して円滑な目覚めを促すことができる。また、第１発光部３，３…及び第２発光部４，４の発光強度を時間に応じて変化させているから、昼間は、細かい作業をすることができる十分な明るさを得ることができる一方、２２〜４時の時間帯においては、発光強度を低く抑えて、メラトニンの分泌を更に自然な状態に近づけることができ、時間に応じたより適切な照明をすることができる。
【００８１】
さらに、照度センサ８により検出された照度に応じて第１発光部３，３…及び第２発光部４，４の発光強度を制御しており、照度に応じて第１発光部３，３…及び第２発光部４，４を点灯／消灯させているから、適切な照明をすることができると共に、省エネルギーに資する。なお、制御部６１は、照度に応じて第１発光部３，３…及び第２発光部４，４を点灯／消灯させるように構成してあるが、照度に応じて第１発光部３，３…及び第２発光部４，４の発光強度を調節するように構成してもよい。
【００８２】
以上の実施の形態１から３に係る照明装置において、第１発光部３，３…及び第２発光部４，４は、電球色及び昼白色の光を夫々発するように構成してあるが、これに限定されず、照明装置の使用環境、使用用途に応じて適宜の発光色になるように夫々構成することができる。例えば、第１発光部３，３…を、発光色が昼白色又は昼光色（例えば、６８００Ｋ）になるように構成してもよいし、第２発光部４，４を、発光色が電球色又は昼光色になるように構成してもよい。
【００８３】
また、第１発光部３，３…及び／又は第２発光部４，４を、青色ＬＥＤ、緑色ＬＥＤ及び電球色ＬＥＤの発光色が異なる３種類のＬＥＤを備えてなり、各種類のＬＥＤの発光強度を変更することができるように構成してもよい。これにより、第１発光部３，３…及び／又は第２発光部４，４からの光が照射される照射面での色温度を広範囲（例えば、電球色〜昼白色）に亘って自由に変更することが可能となる。なお、光源として用いられる発光色が異なるＬＥＤの種類は、３つに限定されないし、他の色の組合せでもよい。
【００８４】
また、青色ＬＥＤとして、メラトニン分泌抑制に対して支配的である４６４ｎｍ近傍の波長領域にピーク波長がある光を発する第１青色ＬＥＤ及び４６４ｎｍ近傍の波長領域にピーク波長がない光を発する第２青色ＬＥＤのピーク波長が異なる２つの青色ＬＥＤを用いてもよい。就寝前時間帯においては、第２青色ＬＥＤを点灯させ、それ以外の時間帯においては、第１青色ＬＥＤを点灯させることにより、人の目に入るメラトニン分泌を抑制する波長の光の量を変化させ、メラトニン分泌抑制への影響度を更に変化させることが可能となる。
【００８５】
また、特に、第１発光部に第２青色ＬＥＤを用い、第２発光部に第１青色ＬＥＤを用いることにより、就寝前時間帯に発光強度を高める第１発光部にメラトニン分泌抑制に影響度が少ない光源を用いることになるから、使用者が円滑に入眠することが可能となる。なお、第１青色ＬＥＤのピーク波長としては、メラトニン抑制に最も支配的な４６４ｎｍが最適であるが、これに限定されず４６４ｎｍ近傍の波長であればよい。
【００８６】
また、以上の実施の形態１から３に係る照明装置において、制御部６１及び赤外線リモコン７は、使用者による電源スイッチの点灯／消灯操作のみを受付けるように構成してあるが、これに限定されず、第１発光部３，３…及び第２発光部４，４の点灯及び発光強度の制御過程を示すタイミングチャートを使用者が生活態様に応じて自由に設定できるように構成してもよい。
【００８７】
（実施の形態４）
図１２及び図１３は、照明装置の他の構成を示す模式図である。図１２は、照明装置２０の光の出射側から見た発光部の配置を、図１３は、図１２のXIII−XIII線による断面から見た発光部の配置を夫々示している。説明の便宜上、詳細な構造の図示及び説明は省略する。
【００８８】
図において１２は、略矩形板状の金属製のフレームであり、該フレーム１２の中央部には、指向性が強い光を出射する複数（図において４つ）の第１発光部３，３…が２行２列に等配をなして設けてある。第１発光部３は、実施の形態１に係る照明装置において説明した第１発光部３と同じであるので、説明を省略する。
【００８９】
また、フレーム１２には、指向性が弱い光を出射する第２発光部１４が、第１発光部３，３…を囲繞するように設けてある。第２発光部１４は、矩形窓を有する矩形平板部１４１ａ、該矩形平板部１４１ａの外周縁から矩形平板部１４１ａと角度をなして延びる外周壁部１４１ｂ及び矩形平板部１４１ａの内周縁から略直交する方向に延びる内周壁部１４１ｃを有してなる該支持板１４１と、支持板１４１の矩形平板部１４１ａ及び外周壁部１４１ｂ夫々に複数（図において８つ）取付けられた計１６個のＬＥＤモジュール１４２，１４２…とを備えてなる。第２発光部１４のＬＥＤモジュール１４２は、実施の形態１に係る照明装置における第２発光部４のＬＥＤモジュール４２と同様に、図４に示す鉛直配光曲線図に表されている配光特性を有している。
【００９０】
この第２発光部１４を覆うように樹脂製のカバー１５がフレーム１２に取付けてある。カバー１５は、拡散剤が添加された乳白色の樹脂製であり、例えば、ポリカーボネート樹脂製である。なお、カバー１５は、図１２に二点鎖線にて示すように、略矩形状の窓１５ａを有しており、第１発光部３，３…が発する光は、カバー１５を透過することなく、直接外部へ出射される。
【００９１】
以上のように構成された照明装置２０は、カバー１５の側が下側になるように、円環状の蛍光灯の取付用として天井１００に予め設けてある円形の板状をなすベース板１０１を介して天井１００に取付けられ、円環状の蛍光灯（例えば、サークライン（登録商標）型蛍光灯）の代替として用いられる。なお、照明装置２０の内部には、トランス、抵抗、コンデンサ等の各種回路部品を備えてなる電源制御回路部６が設けてあり、電源制御回路部６には、外部電源が接続してある。また電源制御回路部６は、各別のリード線により第１発光部３，３…及び第２発光部１４に夫々接続してある。
【００９２】
以上のように構成された本実施の形態に係る照明装置２０において、第１発光部３，３…から出射される光は、ＬＥＤモジュール３１，３１…の出射面の側に設けられた遮蔽体３２により、光軸となす角度が６０°以下になる範囲に全て含まれる指向性が強い光となる一方、第２発光部１４から下方向及び略水平方向に出射される光は、カバー１５により拡散され、室内全体を照らす均一な光となる。第１発光部３，３…から出射される光は、限定されているとはいえ、ある程度の広がりを有しているから、第１発光部３，３…からの光が照射される照射面、例えば床面において十分な照度を得ることができる。また、照明装置２０においては、第２発光部１４を下方向及び略水平方向に光を発するように構成しているから、壁を含む部屋全体をより均一に明るく照明することができる。
【００９３】
なお、照明装置２０は、実施の形態１から３に係る照明装置１０において述べた点灯制御を適用することが可能なように構成してある。また、第１発光部３，３…及び第２発光部１４についても、前述した如く、照明装置の使用環境、使用用途に応じて適宜の発光色になるように構成される。この結果、就寝前時間帯においては、メラトニン分泌を殆ど抑制しないようにして円滑な入眠を促すことができる一方、朝は、メラトニン分泌を抑制して円滑な目覚めを促すことができ、時間又は使用者の生活態様に応じた適切な照明をすることができる。
【００９４】
（実施の形態５）
図１４及び図１５は、照明装置の他の構成を示す模式図である。図１４は、照明装置３０の光の出射側から見た発光部の配置を、図１５は、側面から見た発光部の配置を夫々示している。説明の便宜上、詳細な構造の図示及び説明は省略する。
【００９５】
図において２２は、略円板状の金属製のフレームであり、該フレーム２２の中央部には、指向性が強い光を出射する第１発光部２３が設けてある。第１発光部２３は、密集して設けられた複数（図において２４つ）のＬＥＤモジュール３１，３１…と、該複数のＬＥＤモジュール３１，３１…から出射される光の一部を遮蔽する遮蔽体３２ａとを備えてなる。ＬＥＤモジュール３１は、実施の形態１に係る照明装置において説明したＬＥＤモジュール３１と同じであるので、説明を省略する。遮蔽体３２ａは、内径が連続的に縮径された円筒形状を有しており、縮径された側がＬＥＤモジュール３１，３１…の側になり、ＬＥＤモジュール３１，３１…を囲繞するように設けてある。
【００９６】
また、フレーム２２には、直径が異なる円環状の二つの蛍光灯２４ａ，２４ｂからなる指向性が弱い光を出射する第２発光部２４が、第１発光部２３の光軸と同心をなして設けてある。図１６は、第２発光部２４の鉛直配光曲線図であり、周方向は、第２発光部２４の光軸となす角度を、径方向は最大値を１００％として相対表示した光度を夫々示している。なお、蛍光灯２４ａ，２４ｂとして、発光色が昼白色又は昼光色の色温度である蛍光灯を用いている。
【００９７】
この第２発光部２４を覆うように樹脂製のカバー２５がフレーム２２に取付けてある。カバー２５は、拡散剤が添加された乳白色の樹脂製であり、例えば、ポリカーボネート樹脂製である。なお、カバー２５は、遮蔽体３２ａの外径と略同一径の円形状の窓を有しており、第１発光部２３が発する光は、カバー２５を透過することなく、直接外部へ出射される。
【００９８】
以上のように構成された照明装置３０は、カバー２５の側が下側になるように、円環状の蛍光灯の取付用として天井１００に予め設けてある円形の板状をなすベース板１０１を介して天井１００に取付けられる。なお、照明装置３０の内部には、トランス、抵抗、コンデンサ等の各種回路部品を備えてなる電源制御回路部６が設けてあり、電源制御回路部６には、外部電源が接続してある。また電源制御回路部６は、各別のリード線により第１発光部２３及び第２発光部２４に夫々接続してある。
【００９９】
以上のように構成された本実施の形態に係る照明装置３０において、第１発光部２３から出射される光は、ＬＥＤモジュール３１，３１…の出射面の側に設けられた遮蔽体３２ａにより、光軸となす角度が６０°以下になる範囲に全て含まれる指向性が強い光となる一方、第２発光部２４から略全方向に出射される光は、カバー２５により拡散され、室内全体を照らす均一な光となる。なお、第１発光部２３から出射される光は、限定されているとはいえ、ある程度の広がりを有しているから、第１発光部２３からの光が照射される照射面、例えば床面において十分な照度を得ることができる。また、照明装置３０においては、第２発光部２４を略全方向に光を発するように構成しているから、壁を含む部屋全体をより均一に明るく照明することができる。
【０１００】
なお、照明装置３０は、実施の形態１から３に係る照明装置１０において述べた点灯制御を適用することが可能なように構成してある。また、第１発光部２３についても、前述した如く、照明装置の使用環境、使用用途に応じて適宜の発光色になるように構成してある。この結果、就寝前時間帯においては、メラトニン分泌を殆ど抑制しないようにして円滑な入眠を促すことができる一方、朝は、メラトニン分泌を抑制して円滑な目覚めを促すことができ、時間又は使用者の生活態様に応じた適切な照明をすることができる。
【０１０１】
なお、以上の実施の形態１から５に係る照明装置において、第１発光部は、該第１発光部から出射される光の角度範囲を限定すべく、遮蔽体を有してなるように構成してあるが、これに限定されず、第１発光部から出射される光を適切な角度範囲に限定することができる構成であればよい。
【０１０２】
以上の実施の形態１から５に係る照明装置を用いて、第１発光部及び第２発光部を切り替え点灯することにより、使用者の目に入る光の量を大きく変化させることが可能となる。以下、実施の形態４に係る照明装置２０を用いた場合を例に、使用者と照明装置との位置関係毎に、使用者の目に入る光の量の変化を説明する。
【０１０３】
図１７は、生活シーンの一場面において、使用者の目に入る光の量を説明する説明図である。使用者は、照明装置２０から離れた壁１０２近傍に立っており、対向する壁１０３に掛けられたテレビ１０５を観賞している。なお、以下の説明においては、第１発光部３，３…及び第２発光部１４夫々を床面１０４での照度が略同一になるように点灯して、使用者の目に入る光の量を比較している。
【０１０４】
この状態において、照明装置２０の第１発光部３，３…のみを点灯したとき、第１発光部３，３…が発する光は、前述した如く、光軸となす角度が６０°以下の範囲に全て含まれるから、使用者の目に直接入射はしないが、図中に破線にて示す方向に出射され、机１０６の上面１０６ａ、床面１０４等において反射され、反射された光の一部が使用者の目に入射することになる。
【０１０５】
一方、第２発光部１４のみを点灯したとき、第２発光部１４が発する光は、前述した如く、下方向及び略水平方向に出射され、カバー１５により拡散され、室内全体へ出射されるから、図中に一点鎖線にて示すように、一部が使用者の目に直接入射し、図中に実線にて示すように、壁１０３等にて反射され、反射された光の一部がさらに使用者の目に入射することになる。第２発光部１４を点灯したときの使用者の目近傍での照度が３００ｌｘであるとき、第１発光部３，３…を点灯したときの使用者の目近傍での照度は１００ｌｘ程度となり、第１発光部３，３…及び第２発光部１４を切替え点灯するのみにより、使用者の目に入る光の量を３倍程度変化させることができる。
【０１０６】
図１８は、生活シーンの他の場面において、使用者の目に入る光の量を説明する説明図である。使用者は、照明装置２０から離れた壁１０２近傍の椅子に座っており、対向する壁１０３に掛けられたテレビ１０５を観賞している。
【０１０７】
この状態において、照明装置２０の第１発光部３，３…のみを点灯したとき、第１発光部３，３…が発する光は、使用者の目に殆ど直接入射はしないが、図中に破線にて示す方向に出射され、机１０６の上面１０６ａ、床面１０４等において反射され、反射された光の一部が使用者の目に入射することになる。
【０１０８】
一方、第２発光部１４のみを点灯したとき、第２発光部１４が発する光は、図中に一点鎖線にて示すように、一部が使用者の目に直接入射し、図中に実線にて示すように、壁１０３等にて反射され、反射された光の一部がさらに使用者の目に入射することになる。図１７の立っている場合と比較すると、第２発光部１４の下方向に出射する光のうち使用者の目に直接入る光が増加するから、座っている方が第２発光部１４から直接使用者の目に入る光が増加する。第２発光部１４を点灯したときの使用者の目近傍での照度が３５０ｌｘであるとき、第１発光部３，３…を点灯したときの使用者の目近傍での照度は１００ｌｘ程度となり、第１発光部３，３…及び第２発光部１４を切替え点灯するのみにより、使用者の目に入る光の量を３倍強変化させることができる。
【０１０９】
なお、上記の照度及び目に入る光の量の数値については、部屋の広さ、照明装置の設置位置、光源の発光強度等の条件で変化するから、第１発光部及び第２発光部の特性を限定するものではなく、第１発光部及び第２発光部の切り替えにより、効果の程度に差がでる可能性はあるが、上述したような効果を得ることが可能である。以下の実施の形態の説明においても同様である。
【０１１０】
図１９は、生活シーンの他の場面において、使用者の目に入る光の量を説明する説明図である。使用者は、照明装置２０直下の座椅子に座っており、対向する壁１０３に掛けられたテレビ１０５を観賞している。
【０１１１】
この状態において、照明装置２０の第１発光部３，３…のみを点灯したとき、一般に６０°を超える上方向は人の視野外であるから、第１発光部３，３…が発する光は、使用者の目に殆ど直接入射しないが、図中に破線にて示す方向に出射され、机１０７の上面１０７ａ、床面１０４等において反射され、反射された光の一部が使用者の目に入射することになる。
【０１１２】
一方、第２発光部１４のみを点灯したとき、第２発光部１４が発する光は、図中に一点鎖線にて示すように、一部が使用者の目に直接入射し、図中に実線にて示すように、壁１０３等にて反射され、反射された光の一部がさらに使用者の目に入射することになる。図１７及び図１８の場合と比較すると、照明装置２０の直下に座っていて視野外となる光が増加するから、直接使用者の目に入る光が減少する。第２発光部１４を点灯したときの使用者の目近傍での照度が１５０ｌｘであるとき、第１発光部３，３…を点灯したときの使用者の目近傍での照度は５０ｌｘ程度となり、第１発光部３，３…及び第２発光部１４を切替え点灯することにより、使用者の目に入る光の量を３倍程度変化させることができる。
【０１１３】
本発明に係る照明装置においては、以上のような通常の使用態様時において、第１発光部３，３…及び第２発光部１４を切替え点灯することにより、使用者の目に入る光の量を３倍程度変化させることができ、時間又は使用者の生活態様に応じた適切な照明をすることができる。これに加えて、前述した如く、第１発光部３，３…及び第２発光部１４からの光が照射される照射面での照度及び色温度を変化させることにより、使用者の目に入るメラトニン分泌を抑制する波長の光の量をさらに変化させることができ、時間又は使用者の生活態様に応じた適切な照明をすることができる。さらに併せて、前述した如くピーク波長が異なる複数の青色光源を切替え点灯させて、第１発光部３，３…及び第２発光部１４の発光スペクトルを変えることにより、使用者の目に入るメラトニン分泌を抑制する波長の光の量をさらに変化させることができ、時間又は使用者の生活態様に応じた適切な照明をすることができる。
【０１１４】
なお、以上の実施の形態において、照明装置に設けられる複数の発光部として、発光部の色温度、指向性あるいは配光特性が夫々異なる２種類の発光部を用いているが、２種類に限定されず３種類以上の発光部を用いてもよい。この場合、照明装置から出射される光をより細かく制御できるから、所定方向に出射される光（人の目に入る光）をより細かく制御することが可能となり、使用者の目に入るメラトニン分泌を抑制する波長の光の量をさらに変化させることができ、時間又は使用者の生活態様に応じた適切な照明をすることができる。
【０１１５】
（実施の形態６）
以上のように構成される照明装置において、第１発光部及び第２発光部夫々から発する光の色温度及び演色性を、前述したような効果を確保しつつ、使用者の要望、好みに応じて自由に設定することが可能であり、本実施の形態はその一例を示している。以下、実施の形態４に係る照明装置２０を用いた場合を例に説明する。図２０は、照明装置２０の照明モードを学習モードに設定した例である。近年、リビングにて学習をする子供が増えてきており、リビングに適した照明をすることができると共に、学習に適した照明をすることができる照明装置が望まれている。
【０１１６】
本実施の形態においては、第１発光部３，３…及び第２発光部１４夫々を、発光色の色温度が５０００Ｋに、平均演色評価数Ｒａが９５以上にすることが可能なように構成してある。また、第１発光部３，３…及び第２発光部１４夫々を、高い発光強度及び中程度の発光強度にて点灯させることにより、机１０６の上面１０６ａでの照度が１０００ｌｘに、周囲の床面１０４での照度が３００ｌｘになるように構成してある。なお、平均演色評価数Ｒａは、演色性を評価できるように数値にて表したものであり、平均演色評価数Ｒａが高いほど、物の色が自然な感じに見えることになる。
【０１１７】
このように第１発光部３，３…及び第２発光部１４夫々を構成することにより、机１０６の上面１０６ａにおいては、高演色性の光により、１０００ｌｘの十分な照度にて照明されることになるから、図鑑等の色を正確に再現することができ、また細かい作業をすることができる。また、周囲の床面１０４での照度を中程度の明るさ（３００ｌｘ）に抑えているから、集中力を高めることが可能となる。このように照明装置２０を構成することにより、学習をするために最適な照明をすることができる。なお、第１発光部３，３…及び第２発光部１４夫々の発光強度を変更することにより、リビングに適した照度に容易に変更することができる。
【０１１８】
また、第１発光部３，３…からの光は、前述したように、照明装置２０の直下にいるときは、人の目に殆ど入射せず、さらに第２発光部１４の発光強度を中程度に抑えているから、人の目に入射する光の量を抑えることができ、メラトニンの分泌をあまり抑制しないようにすることができる。
【０１１９】
（実施の形態７）
図２１は、照明装置２０の照明モードを食事モードに設定した例である。本実施の形態においては、第１発光部３，３…を、発光色の色温度が３５００Ｋに、平均演色評価数Ｒａが９５以上にすることが可能なように、第２発光部１４を、発光色の色温度が２８００Ｋに、平均演色評価数Ｒａが９５以上にすることが可能なように夫々構成してある。また、第１発光部３，３…及び第２発光部１４夫々を、中程度の発光強度及び低い発光強度にて点灯させることにより、机１０６の上面１０６ａでの照度が５００ｌｘに、床面１０４での照度が１００ｌｘになるように構成してある。
【０１２０】
このように第１発光部３，３…及び第２発光部１４夫々を構成することにより、机１０６の上面１０６ａにおいては、３５００Ｋの低めの色温度及び平均演色評価数Ｒａが９５以上の高い演色性の光により、５００ｌｘの明るすぎない中程度の照度になるように照明されることになるから、料理が美味しく見えるように演出することができる。また、光源にＬＥＤを用いているから、赤外線を放出せず、料理を温めない。また、周囲の床面１０４においては、机１０６の上面１０６ａより低めの色温度（２８００Ｋ）の光により、低い照度（１００ｌｘ）にて照明されることになるから、あたかもレストランにて食事をしているような雰囲気を演出することができ、より料理を美味しく感じさせることが可能となる。このように照明装置２０を構成することにより、食事をするために最適な照明をすることができる。
【０１２１】
また、第１発光部３，３…からの光は、前述したように、照明装置２０の直下にいるときは、人の目に殆ど入射せず、さらに第２発光部１４の発光強度を低く抑えているから、人の目に入射する光の量を抑えることができ、メラトニンの分泌を殆ど抑制しないようにすることができる。
【０１２２】
（実施の形態８）
図２２は、照明装置２０の照明モードをテレビ視聴モードに設定した例である。本実施の形態においては、第２発光部１４を、発光色の色温度が３０００Ｋに、平均演色評価数Ｒａが８０以下にすることが可能なように構成して、低い発光強度にて点灯させる一方、第１発光部３，３…を消灯させることにより、照明装置２０直下の手元近傍での照度が１００〜２００ｌｘに、周囲の床面１０４での照度が５０〜１００ｌｘになるように構成してある。
【０１２３】
このように第１発光部３，３…及び第２発光部１４夫々を構成して、部屋全体を低い照度にて照明することにより、臨場感あふれる空間を演出することができる。なお、照明装置２０直下の手元近傍においては、１００〜２００ｌｘの照度にて照明しているから、飲食、リモコンの操作等をするための明るさは十分得ることができる。このように照明装置２０を構成することにより、テレビ視聴をするために最適な照明をすることができる。なお、照明装置２０は、テレビの画像に応じて臨場感を高めるべく、第１発光部３，３…及び／又は第２発光部１４の発光色を変更することができるように構成されることが望ましい。
【０１２４】
また、第１発光部３，３…を消灯させ、第２発光部１４の発光強度を低く抑えているから、人の目に入射する光の量を抑えることができ、メラトニンの分泌を殆ど抑制しないようにすることができる。
【０１２５】
（実施の形態９）
図２３は、照明装置２０の照明モードをくつろぎモードに設定した例である。本実施の形態においては、第１発光部３，３…及び第２発光部１４夫々を、平均演色評価数Ｒａが８０程度にすることが可能なように構成し、中程度の発光強度にて点灯させることにより、照明装置２０直下の手元近傍での照度が５００ｌｘに、周囲の床面１０４での照度が３００ｌｘになるように構成してある。照明装置２０は、第１発光部３，３…を、該第１発光部３，３…の発光色が白色になるように、第２発光部１４を、該第２発光部１４の発光色が白色以外の色、例えば青色になるように構成してある。なお、第２発光部１４の発光色は、青色に限定されず、リラックスに適した色であればよい。
【０１２６】
このように第１発光部３，３…及び第２発光部１４夫々を構成して、例えば青空のような発光色の光にて部屋全体を適度な明るさに照明することにより、休息に最適な照明をすることができる。
【０１２７】
なお、以上の実施の形態６から９において述べた複数の照明モードを、照明装置２０が設置された部屋の使用用途、場面、時間に応じて、使用者が選択可能なように照明装置２０を構成してもよい。この場合、例えば、前述した赤外線リモコン７は、照明装置２０を点灯／消灯する操作を受け付ける電源スイッチに加えて、複数の照明モードのうち一つを選択する操作を受け付けるモード選択スイッチと、該モード選択スイッチにて選択された照明モードにおいて照度を高低に変更する操作を受け付ける照度変更スイッチとを備えてなり、制御部６１は、赤外線リモコン７によるこれらの操作を受け付け可能なように構成してある。
【０１２８】
（実施の形態１０）
以上の実施の形態１から９に係る照明装置においては、配光特性が異なる複数の発光部を備え、該複数の発光部の発光強度を制御することにより、所定方向に出射される光の量を変化させるように構成してあるが、発光部の配光特性を変更するように構成することにより同様の効果を得ることが可能である。図２４は、照明装置の他の構成を示す模式図である。
【０１２９】
図中８１は、照明装置４０の器具本体であり、器具本体８１は、略円筒状をなす保持部８０を介して天井１００に設けてある取付用のベース板１０１ａに取付けてある。
【０１３０】
器具本体８１には、略円板形状の板部８２ａと該板部８２ａの周縁から略直交して一方向に延びる周壁部８２ｂとを有する有底円筒状をなすカバー８２が板部８２ａの側を上側にして設けてある。カバー８２は、乳白色の透光性の樹脂製であり、例えば、ポリカーボネート樹脂製である。
【０１３１】
また、器具本体８１には、円環状の２つの蛍光灯８３，８３がカバー８２の内側に該カバー８２と同心をなすように設けてある。蛍光灯８３，８３は、指向性が弱い光を出射する光源であり、図１６に示す鉛直配光曲線図に表されている配光特性を有している。
【０１３２】
カバー８２の板部８２ａの外面には、周方向に等配をなしてモータ８４，８４がモータ８４，８４の出力軸８４ａ，８４ａが板部８２ａの周方向に一致するように取付けてある。このモータ８４，８４の出力軸８４ａ，８４ａには、ピニオン８５，８５が同軸をなして夫々設けてある。
【０１３３】
カバー８２の上側には、カバー８２の外径よりも大きい外径を有する略円板形状の板部８６ａと該板部８６ａの周縁から略直交して一方向に延びる周壁部８６ｂとを備える有底円筒状をなす不透光性の筒体８６が、板部８６ａの側を上側にして設けてある。筒体８６の周壁部８６ｂの内周面には、周方向に等配をなす二カ所に、軸長方向の略全長に亘ってラック８７，８７が形成してある。ラック８７，８７には、ピニオン８５，８５が夫々噛合させてある。
【０１３４】
以上により、モータ８４，８４の回転に伴い、該モータ８４，８４の出力軸８４ａ，８４ａに設けられたピニオン８５，８５が矢符にて示すように回転し、この回転に応じてラック８７，８７が形成された筒体８６が白抜き矢符にて示すように上下に移動することになる。また、器具本体８１には、制御部（図示せず）が設けてあり、該制御部により、蛍光灯８３，８３の点灯制御及びモータ８４，８４の駆動制御がなされる。
【０１３５】
本実施の形態に係る照明装置４０は、時間に応じてモータ８４，８４を駆動し、筒体８６を上下方向に移動させるように構成してある。具体的には、就寝前時間帯は、筒体８６を蛍光灯８３，８３と略同位置になるまで下方向に移動させて、略水平方向に出射される光を遮蔽する一方、朝、昼間の時間帯は、図２４に示す如く、筒体８６を蛍光灯８３，８３よりも上位置になるまで上方向に移動させて、略水平方向に出射される光を遮蔽しないように構成してある。
【０１３６】
以上のように構成された本実施の形態に係る照明装置４０において、筒体８６と蛍光灯８３，８３との上下方向の相対位置を変化させて、蛍光灯８３，８３から略水平方向に出射される光の量を調整することにより、蛍光灯８３，８３から人の目に入るメラトニン分泌を抑制する波長の光の量を調整してメラトニン分泌抑制への影響度を変化させることができると共に、時間又は使用者の生活態様に応じた適切な照明をすることができる。なお、照明装置４０の直下の照度は、略一定に保たれている。
【０１３７】
なお、本実施の形態においては、発光部の光源として蛍光灯８３，８３を用いているが、これに限定されず、ＬＥＤ、白熱電灯等の種々の光源を用いることができる。
【０１３８】
また、本実施の形態においては、モータ８４，８４の回転を筒体８６の上下方向の移動に変換するために、ピニオン８５，８５及びラック８７，８７を用いているが、これに限定されないことは言うまでもない。
【０１３９】
さらに、本実施の形態においては、筒体８６を移動させて、筒体８６と蛍光灯８３，８３との上下方向の相対位置を変化させるように構成しているが、蛍光灯８３，８３を移動させて、筒体８６と蛍光灯８３，８３との上下方向の相対位置を変化させるように構成してもよい。
【０１４０】
（実施の形態１１）
図２５は、照明装置の他の構成を示す模式図である。図中９０は、一面開口の筐体であるフレームであり、フレーム９０は、矩形状の板部９０ａと、該板部９０ａの周縁から略直交して一方向に延びる矩形状の４側壁９０ｂ，９０ｂ…とを備えている。
【０１４１】
フレーム９０の対向する２側壁９０ｂ，９０ｂには、軸９１，９１が回転自在に保持してある。軸９１，９１には、矩形をなす支持板９２と、該支持板９２に取付けられたＬＥＤモジュール９３とを備えてなる発光部９４，９４が設けてある。また軸９１，９１の端部には、第１歯車９５，９５が同軸をなして夫々設けてある。
【０１４２】
ＬＥＤモジュール９３は、エポキシ樹脂製の矩形平板状のＬＥＤ基板９３ａと、該ＬＥＤ基板９３ａに実装された複数のＬＥＤ９３ｂ，９３ｂ…とを備えてなり、図４に示す鉛直配光曲線図に表されている配光特性を有している。
【０１４３】
また、フレーム９０の他の対向する２側壁９０ｂ，９０ｂには、モータ９６，９６がモータ９６，９６の出力軸９６ａ，９６ａが前記２側壁９０ｂ，９０ｂと平行をなして取付けてある。このモータ９６，９６の出力軸９６ａ，９６ａには、第２歯車９７，９７が同軸をなして夫々設けてある。これら第２歯車９７，９７には、第１歯車９５，９５が夫々噛合させてある。
【０１４４】
以上により、モータ９６，９６の回転に伴い、該モータ９６，９６の出力軸９６ａ，９６ａに設けられた第２歯車９７，９７が回転し、この回転に応じて第１歯車９５，９５が回転し、第１歯車９５，９５が設けられた軸９１，９１を中心に軸９１，９１と一体的に発光部９４，９４が回動することになる。
【０１４５】
また、フレーム９０の開口の側には、四角筒状をなすパネル９８が外嵌してある。パネル９８は、乳白色の透光性の樹脂製であり、例えば、ポリカーボネート樹脂製である。フレーム９０の板部９０ａには、トランス、抵抗、コンデンサ等の各種回路部品を備えてなる電源制御回路部９９が設けてある。電源制御回路部９９に設けられた制御部により発光部９４，９４の点灯制御及びモータ９６，９６の駆動制御がなされる。
【０１４６】
本実施の形態に係る照明装置５０は、時間に応じてモータ９６，９６を駆動し、発光部９４，９４を回動させるように構成してある。図２６は、照明装置５０の動作説明図である。
【０１４７】
就寝前時間帯においては、図２５に示すように、発光部９４，９４を回動させ、支持板９２を天井１００に対して水平になる位置に一致させる。この結果、発光部９４，９４が発する光の大部分は下方向に出射され、残部が略水平方向に出射されることになり、通常の使用態様時に人の目に入る略水平方向に出射される光の量が少なくなるから、メラトニンの分泌を殆ど抑制しないようにすることができ、円滑な入眠を促すことができる。
【０１４８】
朝においては、図２６（ｂ）に示すように、発光部９４，９４を回動させ、支持板９２を天井１００に対して略４５°の角度をなす位置に一致させる。この結果、発光部９４，９４が発する光の大部分は略水平方向に出射され、残部が下方向に出射されることになり、通常の使用態様時に人の目に入る略水平方向に出射される光の量が多くなるから、メラトニンの分泌を抑制して、円滑な目覚めを促すことができる。
【０１４９】
例えば、昼間においては、図２６（ａ）に示すように、発光部９４，９４を回動させ、支持板９２を天井１００に対して鋭角をなす位置に一致させる。この結果、発光部９４，９４が発する光は、下方向及び略水平方向に出射されることになり、部屋全体を明るく照明することができる。
【０１５０】
以上のように構成された本実施の形態に係る照明装置５０において、発光部９４，９４を回動させて発光部９４，９４の出射方向を変化させることにより、発光部９４，９４から人の目に入るメラトニン分泌を抑制する波長の光を調整してメラトニン分泌抑制への影響度を変化させることができると共に、時間又は使用者の生活態様に応じた適切な照明をすることができる。
【０１５１】
なお、本実施の形態において、発光部９４，９４の光源としてＬＥＤを用いているが、これに限定されず、指向性のある光を発する光源であればよい。
【０１５２】
なお、以上の実施の形態において、天井に取付けるように構成された照明装置について述べたが、これに限定されず、床に置くスタンド型照明装置においても同様に構成することができる。この場合、発光部から出射される光の量を変化させる所定方向は、照明装置の発光部の位置、設置場所等に応じて適宜設定される。
【０１５３】
また、以上の実施の形態においては、制御部にて生成されるパルス信号のデューティ比を変更して、変更したパルス信号に応じてスイッチング素子を開閉させて、ＬＥＤへの平均電流値を調整することにより発光部の発光強度を変更して、照射面における色温度及び照度の制御を実現しているが、これに限定されず、発光部のＬＥＤを間引き点灯させることにより照射面における色温度及び照度の制御を実現してもよい。
【０１５４】
さらに、本発明は、その他、特許請求の範囲に記載した事項の範囲内において種々変更した形態にて実施することが可能であることは言うまでもない。
【図面の簡単な説明】
【０１５５】
【図１】本発明の実施の形態１に係る照明装置の模式的平面図である。
【図２】図１のII−II線による模式的断面図である。
【図３】第１発光部の鉛直配光曲線図である。
【図４】第２発光部の鉛直配光曲線図である。
【図５】実施の形態１に係る照明装置の制御系の構成を示すブロック図である。
【図６】照明装置の点灯制御の処理手順を示すフローチャートの一例である。
【図７】第１発光部及び第２発光部の点灯及び発光強度の制御過程を示すタイミングチャートである。
【図８】照明装置の点灯制御の処理手順を示すフローチャートの他の例である。
【図９】第１発光部及び第２発光部の点灯及び発光強度の制御過程を示すタイミングチャートである。
【図１０】照明装置の点灯制御の処理手順を示すフローチャートの他の例である。
【図１１】第１発光部及び第２発光部の点灯及び発光強度の制御過程を示すタイミングチャートである。
【図１２】照明装置の他の構成を示す模式図である。
【図１３】照明装置の他の構成を示す模式図である。
【図１４】照明装置の他の構成を示す模式図である。
【図１５】照明装置の他の構成を示す模式図である。
【図１６】第２発光部の鉛直配光曲線図である。
【図１７】生活シーンの一場面において、使用者の目に入る光の量を説明する説明図である。
【図１８】生活シーンの他の場面において、使用者の目に入る光の量を説明する説明図である。
【図１９】生活シーンの他の場面において、使用者の目に入る光の量を説明する説明図である。
【図２０】照明装置の照明モードを学習モードに設定した例である。
【図２１】照明装置の照明モードを食事モードに設定した例である。
【図２２】照明装置の照明モードをテレビ視聴モードに設定した例である。
【図２３】照明装置の照明モードをくつろぎモードに設定した例である。
【図２４】照明装置の他の構成を示す模式図である。
【図２５】照明装置の他の構成を示す模式図である。
【図２６】照明装置の動作説明図である。
【図２７】光によるメラトニン分泌抑制の波長特性図である。
【図２８】メラトニン分泌抑制への単位輝度当たりの影響度比較図である。
【符号の説明】
【０１５６】
３  第１発光部（発光部）
３２  遮蔽体
４  第２発光部（発光部）
６１  制御部（制御手段）
６１ｃ  時計部
８  照度センサ
【図１】
0004740934.tif 000002
【図２】
0004740934.tif 000003
【図３】
0004740934.tif 000004
【図４】
0004740934.tif 000005
【図５】
0004740934.tif 000006
【図６】
0004740934.tif 000007
【図７】
0004740934.tif 000008
【図８】
0004740934.tif 000009
【図９】
0004740934.tif 000010
【図１０】
0004740934.tif 000011
【図１１】
0004740934.tif 000012
【図１２】
0004740934.tif 000013
【図１３】
0004740934.tif 000014
【図１４】
0004740934.tif 000015
【図１５】
0004740934.tif 000016
【図１６】
0004740934.tif 000017
【図１７】
0004740934.tif 000018
【図１８】
0004740934.tif 000019
【図１９】
0004740934.tif 000020
【図２０】
0004740934.tif 000021
【図２１】
0004740934.tif 000022
【図２２】
0004740934.tif 000023
【図２３】
0004740934.tif 000024
【図２４】
0004740934.tif 000025
【図２５】
0004740934.tif 000026
【図２６】
0004740934.tif 000027
【図２７】
0004740934.tif 000028
【図２８】
0004740934.tif 000029